(57)【要約】【課題】花木を植えた鉢を優雅なインテリア性と花木の生育性・ハンドリング性、支持の安定性などに優れ、また資源リサイクル性をも持ち合わせた花木鉢置台を提供する。【解決手段】花木鉢置台を長ネジシャフト１、廃車輪・ホイール２、鉢乗せ台３、鉢乗せ台保持用フレーム４で構成し、置台が任意の大きさ、形状においても所定の設置場所への移動が容易な機構とする。特に、花木鉢置台を段差、傾斜のある場所に設置する場合は車輪の大小を組み合わせる。花木鉢乗せ台は金属、樹脂、木などの格子状等で形成し、また花木鉢置台を色付けとアクセサリーで飾り付ける。【選択図】図１
0003161049.tif 000002
【実用新案登録請求の範囲】
【請求項１】
任意の大きさ、形状の廃車輪を、基本的には２輪以上の廃車輪と花木鉢乗せ台を組み合わせて製作することを特徴とするリサイクル車輪アートの花木鉢置台。
【請求項２】
花木鉢置台を段差のある場所に設置する場合は車輪の任意の大きさの組み合わせでその段差、傾斜を解消し、更には車輪を連結するなどの方法で自在に立体造形が出来ることで、一般家庭及び公共施設、公園等の屋内外に設置できることを特徴とする花木鉢置台。
【請求項３】
花木鉢乗せ台、また、その保持用フレームは金属、樹脂、木などの板状、すのこ、格子状等で形成し、鉢内の流水性、通気性を良くし、また鉢と鉢乗せ台の隙間部における藻などの生育を防止することを特徴とする花木鉢置台。
【請求項４】
花木鉢置台を任意のカラーの色付け、加えてスポーク等にアクセサリーを飾り付けすることなどで花木鉢置台を車輪・ホイールアートとして楽しめる請求項１．２．３記載の花木鉢置台。
【請求項５】
車輪を付属させたことで、任意の設置場所への移動を容易にすることを特徴とする花木鉢置台である。
【考案の詳細な説明】
【技術分野】
【０００１】  この考案は、インテリア用の花木鉢置台の形状に関する。
【背景技術】
【０００２】  従来の花木鉢をインテリアに用い観賞する場合、鉢を受皿に置いたり、鉢底に直接皿を付けたり、金属製の輪を用い吊り下げる、あるいは貯水調節給水機付き形式などがある。（特許等文献１〜６参照）
【先行技術文献】
【特許文献】
【０００３】
【特許文献１】特開２００３−１０２２８４
【実用文献２】
実用新案登録第３０６８９３０号
【実用文献３】
実開平６−６６４３５
【特許文献４】
特開平８−３８２３
【実用文献５】
実用新案登録第３００９３９８号
【実用文献６】
実用新案登録第３１４０９８４
【考案の概要】
【考案が解決しようとする課題】
【０００４】しかしながら、以上の技術によれば、花木鉢置台の本来のインテリア性、花木根・株部の通気性、ハンドリング性の不良、任意の設置場所への移動の難易性、支持の不安定性、また、梅雨時期は直置きのため、花木鉢とその置台の隙間に生育する藻などの生育防止対策がない。【０００５】更には、花木鉢の製作材料として資源リサイクル品を使用していないなど環境・資源リサイクル性などが欠如している。【０００６】  そこで、本考案は、花木を植えた鉢を優雅なインテリア性と花木の生育性・ハンドリング性、支持の安定性などに優れ、また資源リサイクル性をも持ち合わせた花木鉢置台を提供することを課題とする。
【課題を解決するための手段】
【０００７】  以上の課題を解決するために、第一考案は、飛行機、電車、特殊車両、自動車、自転車、ベビーカー、荷車など、任意の大きさ、形状の廃車輪を、基本的には２輪以上の廃車輪と花木鉢乗せ台を組み合わせて製作することを特徴とするリサイクル車輪アートの花木鉢置台である。
また、第二考案は、特に、花木鉢置台を段差のある場所に設置する場合は車輪の任意の大きさの組み合わせでその段差、傾斜を解消し、更には車輪を連結するなどの方法で自在に立体造形が出来ることで、一般家庭及び公共施設、公園等の屋内外に設置できることを特徴とする花木鉢置台である。第三考案は、花木鉢乗せ台、また、その保持用フレームは金属、樹脂、木などの板状、すのこ、格子状等で形成し、鉢内の流水性、通気性を良くし、また鉢と鉢乗せ台の隙間における藻などの生育を防止する。第四考案は、第一〜第三考案で製作した花木鉢置台をアート的な色付け、加えてスポーク等にアクセサリーを飾り付けすることなどで花木鉢置台を車輪・ホイールアートとして楽しめる。第五考案は、この花木鉢置台は、車輪を付属させたことで、任意の設置場所への移動を容易に出来る。
【考案の効果】
【０００８】  第一考案、または第二〜五考案によれば、リサイクル車輪アートの花木鉢置台は、容易に所定の場所に設置出来る。また任意の設置場所への移動が容易であるなど自在の造形で製作できる。また  花木の生育に相応しい水はけ、通気性が良い鉢が維持できると同時にカラフルな花木鉢置台を車輪・ホイールアートとしても楽しむことが出来る。これらの結果として、全国の広範囲で、場所を選ばず無造作に放置された自転車等の廃車輪を、一般家庭で、また  公共施設、公園等の屋内外で花木鉢置台に再利用することで、花木鉢をインテリア的に鑑賞出来る。一方、放置された場所の環境は改善、美化され、人々の健全な心が育まれる。更には、廃車輪のリサイクルで省エネルギーなどの効果で地球温暖化の抑制にも寄与することが出来る。
【図面の簡単な説明】
【０００９】
【図１】本考案の第１実施形態例を示す斜視図である。
【図２】本考案の第２実施形態例を示す側面図である。
【図３】本考案の第２実施形態例を示す平面図である。
【図４】本考案の第３実施形態例を示す平面図である。
【図５】本考案の第４実施形態例を示す側面図である。
【図６】本考案の第５実施形態例を示す側面図である。
【考案を実施するための形態】
【００１０】本考案の第１実施形態例を、図１に示す。
花木鉢置台の本体は、自転車のハブ軸を抜き取ったホイールの繋ぎに、また花木鉢乗せ台の幅を調整する長ネジのシャフト（１０ｍ／ｍφ）とナット、ハブ径に匹敵する大きさのワッシャー１で固定されながらも、摺動性を持たせたリサイクルホイール２、金属製金網花木鉢乗せ台３、花木鉢乗せ台保持用の金属フレーム４から構成されている。また  鉢乗せ台３は金属フレーム４に適宜の数の中桟をいれても代用しても良い。
【００１１】  本考案の第２実施形態例を、図２、３に示す。
第１実施例の花木鉢置台と基本構成を同じくするこの本体は、花木鉢置台の設置場所の階段に適応出来るようにホイールの２６インチと１６インチの組み合わせで構成されている。
【００１２】  本考案の第３実施形態例を、図４に示す。
第１、２考案の花木鉢置台と基本構成を同じくするこの本体は、花木鉢乗せ台の形状がすのこ状である。材質は木、プラスチック、金属等でも良い。
【００１３】  本考案の第４実施形態例を、図５に示す。
第１、２考案の花木鉢置台と基本構成を同じくするこの本体は、２６インチホイールを４連にし、ホイールにも花木鉢を飾りつけたものである。
【００１４】  本考案の第５実施形態例を、図６に示す。
第１、２考案の花木鉢置台と基本構成を同じくするこの本体は、第４実施形態例の２６インチホイールの４連をカラータイヤ（赤、青、黄、緑）に変えて、ホイールにも花木鉢を飾りつけ、カラフルにしたものである。
また、この４連を増輪、或いはカラーホイールとカラータイヤを任意に組み合わせても良い。更には、花木鉢を増やして移動可能な花壇としても良い。
「実施形態の効果」
【００１５】この実施形態によれば、これらの本体は、リサイクル車輪アートの花木鉢置台として、容易に所定場所に設置出来る。
【００１６】また車輪を付属させることで任意の大きさ、大重量の形状でも所定の設置場所への移動が容易である。
【００１７】また  車輪・花木鉢乗せ台を長ネジシャフト、ワッシャー、ナットで固定しているので強度的に安定している。
【００１８】また  花木の生育に相応しい水はけ、通気性が良い鉢が維持できると同時にカラフルな花木鉢置台全体を各種の植物で飾れ、また併せて、車輪・ホイールアートとしても楽しむことが出来る。
【符号の説明】
【００１９】１  シャフト
２  車輪またはホイール
３  花木鉢乗せ台用フレーム
４  花木鉢乗せ台
【図１】
0003161049.tif 000003
【図２】
0003161049.tif 000004
【図３】
0003161049.tif 000005
【図４】
0003161049.tif 000006
【図５】
0003161049.tif 000007
【図６】
0003161049.tif 000008
【手続補正書】
【提出日】平成22年4月26日(2010.4.26)
【手続補正１】
【補正対象書類名】明細書
【補正対象項目名】０００７
【補正方法】変更
【補正の内容】
【０００７】  以上の課題を解決するために、第一考案は、飛行機、電車、特殊車両、自動車、自転車、ベビーカー、荷車など、大きさと形状を異にする２輪以上の廃車輪と花木鉢乗せ台で形成することを特徴とするリサイクル車輪アートの花木鉢置台である。
また、第二考案は、特に、花木鉢置台を段差のある場所に設置する場合は車輪の大小の組み合わせとホイールの頂点に花木鉢置き台水平調整器を設置してその段差、傾斜の問題点を解決させる。更には車輪を連結するなどの方法で自在に立体造形が出来ることで、一般家庭及び公共施設、公園等の屋内外に設置できることを特徴とする花木鉢置台である。第三考案は、花木鉢乗せ台、また、その保持用フレームは金属、樹脂、木などの板状、すのこ、格子状等で形成し、鉢内の流水性、通気性を良くし、また鉢と鉢乗せ台の隙間における藻などの生育を防止する花木鉢置台を提供する。第四考案は、第一〜第三考案の花木鉢置台をアート的な色付け、加えてスポーク等にアクセサリーを飾り付けすることなどで車輪・ホイールアートとして楽しめる花木鉢置台を提供する。第五考案は、この花木鉢置台は、車輪を付属させたことで、任意の設置場所への移動が容易に出来る花木鉢置台を提供する。
【手続補正２】
【補正対象書類名】明細書
【補正対象項目名】０００９
【補正方法】変更
【補正の内容】
【０００９】
【図１】本考案の第１実施形態例を示す斜視図である。
【図２】本考案の第２実施形態例を示す側面図である。
【図３】本考案の第２実施形態例を示す花木鉢置き台の水平調整器図である。
【図４】本考案の第３実施形態例を示す平面図である。
【図５】本考案の第４実施形態例を示す側面図である。
【図６】本考案の第５実施形態例を示す側面図である。
【手続補正３】
【補正対象書類名】明細書
【補正対象項目名】００１０
【補正方法】変更
【補正の内容】
【００１０】本考案の第１実施形態例を、図１に示す。
花木鉢置台の本体は自転車のハブ軸を抜き取った同径の廃ホイール２を角木材製の花木鉢乗せ台４の幅を調整する長ネジのシャフト（１０ｍ／ｍφ）１とフレーム３、ナット６、ワッシャー７で組み立てた一対の車軸部の２個で形成され、廃ホイール２に回転性を持たせた構造の花木鉢置台である。
【手続補正４】
【補正対象書類名】明細書
【補正対象項目名】００１１
【補正方法】変更
【補正の内容】
【００１１】本考案の第２実施形態例を、図２、３に示す。
第１実施例の花木鉢置台と基本構成を同じくするこの本体は、花木鉢置台の設置場所の階段に適応出来るようにホイール２の２６インチと１６インチの組み合わせで構成されている。金属又は木材のフレーム３と花木鉢乗せ台の端部をシャフト１に通した同径の自転車の廃ホイール２の２個を一対にして、両ホイール２のハブ部分に前記ホイール２間幅が調節出来るようにしたシャフト１を設けた第１の車軸部を形成し、前記廃ホイール２より大なる径の自転車の廃ホイール２の２個を一対にして、両ホイール２のハブ部分にホイール２間幅が調節出来るようにしたシャフト１を設けた第２の車軸部を形成し、この第２車軸部のホイール２のバルブ穴を頂点に位置させて、そのバルブ穴に花木鉢乗せ台の水平を調整するための水平調整器を設ける。
この調整器はロングデンデンボルト９にナット６、ワッシャー７の各１個を順に締め込んだ形態でホイールバルブ穴の下側からロングデンデンボルト９を差し込み、そのロングデンデンボルト９上部からワッシャー７、ナット６の各１個を順に締め込んでホイール２の両輪にこのボルトを固定する。
次にロングデンデンボルト９穴径と同等の長ネジ軸８を花木鉢乗せ台に穴通し、その軸を両ロングデンデンボルト９の穴部に差し入れ、ナット６、ワッシャー７でロングデンデンボルト９穴部面の両面を挟み込み花木鉢乗せ台を固定する。この状態で、前記したバルブ穴に設置したロングデンデンボルト９を保持している上下にある二つのナット６でこのボルト９の長さを調節することで花木鉢乗せ台４の角度を自由に調整することが出来、急傾斜面や階段でも花木鉢乗せ台４を水平に置けることを可能にする花木鉢置台である。
【手続補正５】
【補正対象書類名】明細書
【補正対象項目名】００１９
【補正方法】変更
【補正の内容】
【００１９】  １  シャフト
２  車輪またはホイール
３  花木鉢乗せ台用フレーム
４  花木鉢乗せ台
５  花木鉢乗せ台水平調整器
６  ナット
７  ワッシャー
８  花木鉢乗せ台水平調整器軸
９  ロングデンデンボルト
【手続補正６】
【補正対象書類名】図面
【補正対象項目名】図１
【補正方法】変更
【補正の内容】
【図１】
0003161049.tif 000009
【手続補正７】
【補正対象書類名】図面
【補正対象項目名】図２
【補正方法】変更
【補正の内容】
【図２】
0003161049.tif 000010
【手続補正８】
【補正対象書類名】図面
【補正対象項目名】図３
【補正方法】変更
【補正の内容】
【図３】
0003161049.tif 000011
【手続補正９】
【補正対象書類名】図面
【補正対象項目名】図４
【補正方法】変更
【補正の内容】
【図４】
0003161049.tif 000012
【手続補正１０】
【補正対象書類名】実用新案登録請求の範囲
【補正対象項目名】全文
【補正方法】変更
【補正の内容】
【実用新案登録請求の範囲】
【請求項１】
同径の自転車の廃ホイール２個を一対にして、両ホイールのハブ部分に上記ホイール間幅が調節出来るようにしたシャフトを設けた車軸部を形成し、この車軸部を並行に複数個を並べ、ホイール間のシャフトに花木鉢乗せ台を取り付けた花木鉢置台。
【請求項２】
金属又は木材のフレームと花木鉢乗せ台の端部をシャフトに通した同径の自転車の廃ホイール２個を一対にして、両ホイールのハブ部分に前記ホイール間幅が調節出来るようにしたシャフトを設けた第１の車軸部を形成し、前記廃ホイールより大なる径の自転車の廃ホイール２個を一対にして、両ホイールのハブ部分にホイール間幅が調節出来るようにしたシャフトを設けた第２の車軸部を形成し、この第２車軸部のホイールの頂点に設けた花木鉢載せ台水平調整器で、この花木乗せ台の角度を自由に調整することで、急傾斜面や階段でも花木鉢乗せ台を水平に置けることを可能にする花木鉢置台。
【請求項３】
花木鉢乗せ台をすのこ、格子状で形成して、鉢内の流水性、通気性を改善したことで、鉢と鉢乗せ台の隙間部における藻の生育を防止することを特徴とする請求項２記載の花木鉢置台。
【請求項４】
花木鉢置台を任意に色付けし、また、スポーク、ホイールにアクセサリーを飾り付けすることで花木鉢置台をホイールアートとして楽しめる請求項１記載の花木鉢置台。
【請求項５】
車輪を付属させたことで、所定の設置場所への移動を容易にすることを特徴とする請求項１記載の花木鉢置台。